(57)【要約】肥満は、ほとんどの先進国において共通の臨床問題であり、また、開発途上国においても急速に主要な健康上の懸念となってきている。太りすぎの個体はしばしば、インスリン抵抗性、ＩＩ型糖尿病および脂質代謝異常のような種々の代謝障害に罹患している。本発明は、ＰＰＡδ（βとしても公知）が食餌誘発性肥満の発症に役割を有するという原則の証明を開示する。本発明に従い、ＰＰＡＲδ（β）タンパク質の機能をアンタゴナイズし、ＰＰＡＲδ（β）遺伝子発現およびまたはＰＰＡＲδ（β）標的遺伝子発現の転写活性化を減少させる化学物質を含有する医薬組成物の投与による、肥満、インスリン抵抗性および高脂血症の新規な治療方法が開示される。また、本発明は、肥満のインスリン抵抗性高脂血症の患者を、ＰＰＡＲδ（β）アンタゴニストと抗糖尿病薬剤または脂質低下剤（またはその両方）との組合せを用いて有効に治療することができることを提案する。【特許請求の範囲】
【請求項１】
哺乳動物における肥満の治療方法であって、そのような治療を必要とする宿主に、ＰＰＡＲδ（β）活性を阻害する化合物または医薬組成物を治療上有効な量で投与することを含む方法。
【請求項２】
該哺乳動物がヒトである、請求項１に記載の方法。
【請求項３】
哺乳動物における肥満の治療方法であって、そのような治療を必要とする宿主に、ＰＰＡＲδ（β）活性を調節する化合物または医薬組成物を治療上有効な量で投与することを含む方法。
【請求項４】
該動物がヒトである、請求項３に記載の方法。
【請求項５】
哺乳動物における肥満、インスリン抵抗性および脂質代謝異常症の治療方法であって、そのような治療を必要とする宿主に、ＰＰＡＲδ（β）活性を阻害する化合物または医薬組成物を抗糖尿病薬および／または脂質低下剤と組合せて治療上有効な量で投与することを含む方法。
【請求項６】
該哺乳動物がヒトである、請求項５に記載の方法。
【請求項７】
哺乳動物における肥満、インスリン抵抗性および脂質代謝異常症の治療方法であって、そのような治療を必要とする宿主に、ＰＰＡＲδ（β）活性を調節する化合物または医薬組成物を抗糖尿病薬および／または脂質低下剤と組合せて治療上有効な量で投与することを含む方法。
【請求項８】
該哺乳動物がヒトである、請求項７に記載の方法。
【請求項９】
ＰＰＡＲδ（β）活性のインヒビターまたはレギュレーターを同定するための、化合物のスクリーニング方法であって、インビトロ結合アッセイ、細胞ベースの転写促進アッセイ、含脂肪細胞分化アッセイおよびインビボ肥満動物モデルアッセイから選択されるアッセイを用いる方法。
【請求項１０】
哺乳動物における骨関節症を治療する方法であって、そのような治療を必要とする宿主に、ＰＰＡＲδ（β）活性を阻害する化合物または医薬組成物を治療上有効な量で投与することを含む方法。
【請求項１１】
該動物がヒトである、請求項１０に記載の方法。
【請求項１２】
哺乳動物における骨関節症を治療する方法であって、そのような治療を必要とする宿主に、ＰＰＡＲδ（β）活性を調節する化合物または医薬組成物を治療上有効な量で投与することを含む方法。
【請求項１３】
該動物がヒトである、請求項１２に記載の方法。
【請求項１４】
ＰＰＡＲδ（β）活性の調節が、ＰＰＡＲδ（β）遺伝子の発現、ＰＰＡＲδ（β）タンパク質活性およびＰＰＡＲδ（β）標的遺伝子発現のトランス活性化のいずれか１つの調節によりもたらされる、請求項３、７または１２のいずれか１つに記載の方法。
【請求項１５】
製薬上許容可能なキャリアおよびＰＰＡＲδ（β）活性を阻害または調節する化合物を治療上有効な量で含む、肥満およびインスリン抵抗性の治療のための医薬組成物。
【発明の詳細な説明】
【０００１】
関連出願に対する相互参照
本出願は、米国仮出願番号６０／２１９，９５６（２０００年７月２０日出願）の優先権を主張する。
【０００２】
発明の分野
本発明は、ＰＰＡＲδ（β）の阻害を通して、哺乳動物（ヒトを含む）における肥満、インスリン耐性および脂質代謝異常症（ｄｙｓｌｉｐｉｄｅｍｉａ）を治療する方法に関する。また、本発明は、ＰＰＡＲδ（β）活性を調節するように作用する化学物質のスクリーニング方法に関する。本発明はさらに、ＰＰＡＲδ（β）アンタゴニスト、抗肥満薬剤および脂質低下剤（ｌｉｐｉｄ−ｌｏｗｅｒｉｎｇ ａｇｅｎｔ）の１種以上の組合わせを用いる肥満、インスリン耐性および高脂血症の患者の治療方法に関する。
【０００３】
発明の背景
肥満は、ほとんどの先進国において共通の臨床問題であり、また、開発途上国においても急速に主要な健康上の懸念になってきている。太りすぎの個体はしばしば、種々の代謝障害に罹患している（例えば、インスリン抵抗性、ＩＩ型糖尿病および脂質代謝異常）。また、これらの個体はしばしば高血圧、心血管疾患（例えば、アテローム性動脈硬化症および冠状動脈性心疾患）に対する高い危険性を有し骨関節症に罹患している。
【０００４】
哺乳動物（ヒトを含む）において、含脂肪細胞（脂肪細胞）は栄養過剰の際に過剰なエネルギーをトリグリセリドの形態で貯蔵する（Ｌｏｗｅｌｌ， Ｃｅｌｌ， ９９： ２３９−２４２， １９９９を参照）。飢餓の間、トリグリセリドは、栄養およびエネルギー要求を補うために含脂肪細胞中で脂肪酸へと分解される。しかし、含脂肪細胞（分化）となる前駆細胞（前含脂肪細胞）の補充および／または予め存在している含脂肪細胞の膨張（肥大）を通してのいずれかにより起こった過度の脂肪過多症は肥満に関連している（Ｌｏｗｅｌｌ， Ｃｅｌｌ， ９９： ２３９−２４２，１９９９を参照）。肥大した含脂肪細胞は、過剰量のサイトカイン（例えば、ＴＮＦα）を産生し、これは次いで、骨格筋および含脂肪細胞という２つの主なグルコース利用組織におけるインスリンレセプター活性および／またはインスリンシグナル伝達への応答を低下させるように作用することが実証されている（Ｈｏｔａｍｉｓｌｉｇｉｌら、Ｓｃｉｅｎｃｅ， ２５９： ８７−９０，１９９３； Ｌｏｗｅｌｌ， Ｃｅｌｌ， ９９： ２３９−２４２，１９９９を参照）。その結果、インスリン抵抗性、グルコース取りこみの減少、およびある個体においてはＩＩ型糖尿病を生じる。また、インスリン抵抗性およびＩＩ型糖尿病を有する肥満した個体は、しばしば、高脂血症、アテローム性動脈硬化症および心血管疾患に罹患する（Ｒｏｓｅｎｂａｕｍら、Ｎｅｗ． Ｅｎｇ．Ｊ． Ｍｅｄ． ３３７： ３９６−４０７，１９９７を参照）。
【０００５】
ペルオキシソーム増殖活性型レセプター（ＰＰＡＲ）は、リガンド調節型転写因子の核ホルモンレセプターファミリーのメンバーである（Ｗｉｌｌｓｏｎら、Ｊ． Ｍｅｄ． Ｃｈｅｍ．， ４３： ５２７−５５０，２０００を参照）。３個のＰＰＡＲ異型である、ＰＰＡＲα、ＰＰＡＲγおよびＰＰＡＲδは、ヒトを含む種々の哺乳動物から単離されている。これらのレセプターは、１つのクラスとして、結合パートナーであるＲＸＲαと偏った（ｏｂｌｉｇａｔｅ）ヘテロ２量体を形成し、これは食物由来の長鎖脂肪酸、脂肪酸代謝物および／または合成薬剤により活性化される（Ｗｉｌｌｓｏｎら、Ｊ． Ｍｅｄ．Ｃｈｅｍ．， ４３： ５２７−５５０，２０００を参照）。ＰＰＡＲαは脂肪酸合成、脂肪酸酸化および脂質代謝経路において遺伝子を調節する（ＩｓｓｅｎｍａｎおよびＧｒｅｅｎ， Ｎａｔｕｒｅ， ３４７： ６４５−６４９，１９９０； Ｔｏｒｒａら、Ｃｕｒｒｅｎｔ Ｏｐｉｎｉｏｎ ｉｎ Ｌｉｐｉｄｏｌｏｇｙ， １０： １５１−１５９，１９９９を参照）。市販のＰＰＡＲαアゴニスト（例えば、フェノフィブラート（ｆｅｎｏｆｉｂｒａｔｅ）およびゲムフィブロジル（ｇｅｍｆｉｂｒｏｚｉｌ））は、哺乳動物（ヒトを含む）における血漿脂質を低下させる（Ｂａｌｆｏｕｒら、Ｄｒｕｇｓ． ４０： ２６０−２９０，１９９０； Ｆｒｉｃｋら、Ｎｅｗ Ｅｎｇ． Ｊ． Ｍｅｄ．， ３１７： １２３７−１２４５； Ｒｕｂｉｎｓら、Ｎｅｗ Ｅｎｇ． Ｊ． Ｍｅｄ．， ３４１： ４１０−４１８，１９９９を参照）。ＰＰＡＲγは、前含脂肪細胞の補充および成熟含脂肪細胞への分化を調節することが実証されている。ＰＰＡＲγの活性化は含脂肪細胞における脂質保存を促進し、インスリン感受性抗糖尿病薬剤として機能する（Ｌｅｈｍａｎｎら、Ｊ． Ｂｉｏｌ． Ｃｈｅｍ．， ２７０： １２９５３−１２９５６，１９９５； Ｎｏｌａｎら、Ｎｅｗ． Ｅｎｇ． Ｊ． Ｍｅｄ．， ３３１： １１８８−１１９３； Ｉｎｚｕｃｃｈｉら、Ｎｅｗ Ｅｎｇ． Ｊ． Ｍｅｄ．， ３３８： ８６７−８７２，１９９８を参照）。比較的、遍在的に発現されるＰＰＡＲδ（ＰＰＡＲβとしても公知。本明細書中ＰＰＡＲδ（β）と称する）異型については、以下のことが公知ではあるがその役割は不明のままである。（１）ＰＰＡＲδ（β）は、前および成熟含脂肪細胞中に存在する、および（２）脂肪酸および脂肪酸代謝物によって活性化される（Ｚｈａｎｇら、Ｍｏｌ． Ｅｎｄｏｃｒｉｎｏｌｏｇｙ， １０ ： １４５７−１４６６，１９９６； Ｂｅｒｇｅｒら、Ｊ． Ｂｉｏｌ． Ｃｈｅｍ．， ２７４： ６７１８−６７２５，１９９９； Ｂａｓｔｉｅら、Ｊ． Ｂｉｏｌ． Ｃｈｅｍ．， ２７４： ２１９２０−２１９２５，１９９９を参照）。
【０００６】
発明の要旨
含脂肪細胞となる前駆細胞の補充および／または予め存在している含脂肪細胞の膨張を通してのいずれかによる過剰な含脂肪細胞組織の蓄積は、しばしば、肥満と関連している。ＰＰＡＲδ（β）は、前−および成熟含脂肪細胞中で発現され、脂肪酸および脂肪酸代謝物により活性化されるが、その含脂肪細胞機能、含脂肪細胞肥大および／または肥満の発症における役割は明確ではなかった。本発明は、食餌誘発性の肥満の発症におけるＰＰＡＲδ（β）の役割を初めて実証する。
【０００７】
従って、本発明の１つの目的は、哺乳動物（ヒトを含む）の肥満を治療する方法を提供するものであって、この方法は、そのような治療を必要とする哺乳動物に、ＰＰＡＲδ（β）活性を阻害するか調節（変調、ｍｏｄｕｌａｔｅ）する化合物または化合物の組合わせを治療上有効な量で投与することを含む。
【０００８】
本発明の別の目的は、哺乳動物（ヒトを含む）における肥満、インスリン抵抗性および脂質代謝異常症を治療する方法を提供することであって、この方法はそのような治療を必要とする哺乳動物に、ＰＰＡＲδ（β）活性を阻害する化合物または化合物の組合わせ、抗糖尿病化合物および脂質低下剤である化合物の２種以上の任意の組合わせを治療上有効な量で投与することを含む。
【０００９】
本発明の別の目的は、哺乳動物（ヒトを含む）における骨関節症を治療する方法を提供することであって、この方法はそのような治療を必要とする哺乳動物に、ＰＰＡＲδ（β）活性を阻害するまたは調節する化合物または化合物の組合わせを治療上有効な量で投与することを含む。
【００１０】
本発明の別の目的は、ＰＰＡＲδ（β）活性を阻害する、または調節する化合物のスクリーニング方法を提供することである。
【００１１】
本発明の別の目的は、肥満、インスリン抵抗性および／または脂質代謝異常症の治療のための医薬組成物を提供することであり、これは製薬上許容されるキャリア、およびＰＰＡＲδ（β）活性を阻害する、または調節する化合物または化合物の組合わせを治療上有効な量で含有する。
【００１２】
発明の詳細な説明
哺乳動物において、ほとんどの遺伝子は２つの機能的なコピーにより提示されている。本発明は、遺伝子ノックアウトアプローチを通じてマウスにおけるＰＰＡＲδ（β）遺伝子の１コピーの不活性化の結果を初めて開示するものである。不活性化された遺伝子コピー１つを有するＰＰＡＲδ（β）ヘテロ接合体ノックアウト変異体マウスは、異常な行動特性を示さなかった。これらはまた、通常の低脂肪（４〜６％）食餌を与えた場合、２個の遺伝子コピーを有する野生型同腹子と比較して正常な体重を示す。しかし、脂肪（４０％）およびスクロース（４０％）が豊富な食餌を与えた場合、ヘテロ接合体ノックアウトマウスは、野生型同腹子コントロールマウスと比較して食餌誘発性の肥満に対し抵抗性を示す（図１）。図１に示すように、ＰＰＡＲδ（β）ヘテロ接合体ノックアウトマウスは、ＰＰＡＲδ（β）野生型マウスと比較して低下した速度で体重が増加した。ヘテロ接合体ノックアウトマウスは、体長に顕著な変化を伴うことなく体脂肪および肥満の指標である体容量指数（ＢＭＩ）値が減少した（図２）。解剖分析の結果は、野生型マウスと比較してヘテロ接合体ノックアウトマウスでの腹部脂肪蓄積のサイズの実質的な減少を示す（図２）。哺乳動物において、腹部の脂肪蓄積のサイズは、しばしば、インスリン抵抗性およびＩＩ型糖尿病の発症の危険性と関連している。これと一致して、血漿化学分析の結果は、野生型動物と比較してヘテロ接合体ＰＰＡＲδ（β）ノックアウトマウスでは絶食および無制限摂食の両方でのインスリンのレベルの顕著な減少を示す（表１）。この知見は、ヘテロ接合体ＰＰＡＲδ（β）ノックアウトマウスにおける高いインスリン感受性の指標と解釈される。なぜならば、これらのマウスは、実質的に減少したインスリン濃度で、空腹（絶食）時および摂食時両方のグルコースに関して野生型のレベルを維持しうるからである（表１、以下）。
【００１３】
研究の過程での、ヘテロ接合体ＰＰＡＲδ（β）ノックアウトマウスにおける重要な別の知見は、血漿中の遊離脂肪酸、トリグリセリドまたはコレステロールのレベルに有意な変化が無くても、体重減少が達せられることである（表１）。
【００１４】
【表１】
2004531454.tif 000002
（＊統計的に有意な差異、ｐ＜０．０５）
この表中のデータは、ＰＰＡＲδ（β）ヘテロ接合体ノックアウトマウスが、野生型マウスと比較して改善されたインスリン感受性を示すことを証明している（すなわち、低い絶食および摂食時のインスリン濃度を示すと同時に野生型マウスと同等またはそれ以下のグルコース濃度を維持している）。さらに、このデータは遊離脂肪酸、トリグリセリドおよび／またはコレステロールを含む血漿脂質レベルに有意な変化が無いことを示す。この研究では、１６時間の絶食後、および一晩の無制限摂食後に、尾の静脈から血液を回収した。血漿、グルコース、インスリン、コレステロール、トリグリセリドおよびＮＥＦＡの値は、標準的な方法を用いて測定した。
【００１５】
従って、本明細書中に記載した発明は、動物に脂肪およびスクロースの高い食餌を与えた場合に、ＰＰＡＲδ（β）が腹部脂肪、肥満およびインスリン抵抗性（高インスリン）の上昇を強化することを開示する。しかし、ヘテロ接合性ＰＰＡＲδ（β）ノックアウトマウスの場合のように、ＰＰＡＲδ（β）のコピー１つが不活性化されている場合、これらの動物は以下のことを示す。（１）食餌誘発性肥満に対する抵抗性、（２）腹部体脂肪パッド（ａｂｄｏｍｉｎａｌ ｆａｔ ｐａｄ ｍａｓｓ）の減少および（３）インスリン感受性の改善（減少したレベルのインスリン）。重要なことに、体重減少および腹部体脂肪パッドの減少は、血中脂質プロフィールの有意な変化を伴わずにヘテロ接合体ＰＰＡＲδ（β）ノックアウトマウスで達成される。従って、本発明は、ある程度のＰＰＡＲδ（β）の不活性化による、肥満、およびそれにしばしば関連するインスリン抵抗性およびＩＩ型糖尿病の治療方法の原則に関する遺伝的な証明を提示する。
【００１６】
本発明は、（１）ＰＰＡＲδ（β）タンパク質の活性、または（２）ＰＰＡＲδ（β）遺伝子の発現、または（３）ＰＰＡＲδ（β）制御型標的遺伝子の発現（あるいはこれらの組み合わせ）を減少させる能力を有し得る薬剤を含有する医薬組成物（ｐｈａｒｍａｃｏｌｏｇｉｃａｌ ｃｏｍｐｏｓｉｔｉｏｎ）の投与を介して、哺乳動物における肥満、インスリン抵抗性および２型糖尿病を治療する方法を提供する。ＰＰＡＲδ（β）の不活性化は、（１）薬物（ＰＰＡＲδ（β）アンタゴニスト）のＰＰＡＲδ（β）レセプターへの直接結合およびその転写活性化能力の減少、または（２）ＰＰＡＲδ（β）の、 偏ったヘテロ二量体結合パートナーＲＸＲαとの生産的（ｐｒｏｄｕｃｔｉｖｅ）会合を破壊すること、または（３）ＰＰＡＲδ（β）遺伝子の発現のダウンレギュレーション、または（４）コ−アクチベーターの結合の阻害もしくはコ−リプレッサーの結合の促進を介する組織中での活性の選択的な調節、あるいはこれらの任意の組合わせを通して達成され得る。これらの変化により得られる成果としては、（１）体重増加の予防、（２）体重減少、および（３）インスリン抵抗性の改善の、任意の組合わせを挙げることができる（しかし、これらに限定されない）。
【００１７】
また、本発明は、肥満インスリン抵抗性／ＩＩ型糖尿病患者におけるインスリン抵抗性およびＩＩ型糖尿病を制御するために、ＰＰＡＲδ（β）アンタゴニスト、抗糖尿病薬（糖尿病治療薬）（例えば、メトホルミン。しかしこれに限定されない）および／またはスルホニルウレアの組合せの使用を含む治療方法を提供する。また、ほとんどの肥満糖尿病個体は、脂質代謝異常および心血管疾患に罹患しているので、本発明はまた、ＰＰＡＲδ（β）アンタゴニスト、ＰＰＡＲαアゴニストのような抗糖尿病薬および脂質低下剤（例えば、フェノフィブラートおよびゲムフィブロジル、しかしこれらに限定されない）、ＨＭＧ−ＣｏＡレダクターゼインヒビター（例えば、プラバスタチン、ロバスタチン、シンバスタチンおよびアトラバスタチン。しかしこれらに限定されない）を、脂質代謝異常症および心血管疾患を減少させるために使用し得ることを提案する。
【００１８】
また、本発明は、ＰＰＡＲδ（β）に結合、および／または調節する化合物のスクリーニングおよび同定方法を提供する。哺乳動物種（ヒトを含む）由来および／またはカエル（ツメガエル（Ｘｅｎｏｐｕｓ））のような非哺乳動物種由来のＰＰＡＲδ（β）リガンド結合ドメイン（ＬＢＤ）を、ＬＢＤに結合する化合物のスクリーニングのために使用する（Ｓｃｈｍｉｄｔら、Ｍｏｌ． Ｅｎｄｏｃｒｉｎｏｌｏｇｙ， ６： １６３４−１６４１，１９９２； Ｅｖａｎｓら、米国特許第５５７１６９６号中Ｓｅｑｕｅｎｃｅ ＸＲ−４、１９９６； Ｂｅｒｇｅｒら、Ｊ． Ｂｉｏｌ． Ｃｈｅｍ．， ２７４： ６７１８−６７２５，１９９９）。このインビトロ結合アッセイでは、試験化合物のＰＰＡＲδ（β）に対する親和性を、既知のリガンドのＰＰＡＲδ（β）への結合を競合的に阻害する能力により測定する（参考文献ＬｅｉｂｏｗｉｔｚおよびＢｅｒｇｅｒ、ＷＯ ９７／２８１４９ １９９７ ； Ｂｅｒｇｅｒら、Ｊ．Ｂｉｏｌ． Ｃｈｅｍ．， ２７４： ６７１８−６７２５，１９９９に記載）。細胞ベースのアッセイでは、適切な哺乳動物、昆虫または酵母細胞株を、キメラＧａｌ４／ ＰＰＡＲδまたはＧＲ／ ＰＰＡＲδレセプターおよびＧａｌ４／ＳＥＡＰ、Ｇａｌ−４／β−ラクタマーゼおよびＧａｌ−４／ルシフェラーゼまたはＧＲ／ＳＥＡＰ、ＧＲ／β−ラクタマーゼ、ＧＲ／ルシフェラーゼまたは他の適切なレポーター遺伝子ＤＮＡ構築物でコ−トランスフェクトする（ＳａｄｏｗｓｋｉおよびＰｔａｓｈｎｅ， Ｎｕｃ． Ａｃｉｄ． Ｒｅｓ． １７： ７５３９，１９８９； Ｋｌｉｅｗｅｒら、Ｎａｔｕｒｅ， ３５８： ７７１−７７４，１９９２；Ｓｃｈｍｉｄｔら、Ｍｏｌ． Ｅｎｄｏｃｒｉｎｏｌｏｇｙ， ６ ： １６３４−１６４１，１９９２；Ｌｅｈｍａｎｎら、Ｊ． Ｂｉｏｌ． Ｃｈｅｍ．， ２７０： １２９５３−１２９５６，１９９５； Ｔｕｇｗｏｏｄら、Ａｒｃｈ． Ｔｏｘｉｃｏｌ．， ７２： １６９−１７７，１９９８； Ｂｅｒｇｅｒら、 Ｊ． Ｂｉｏｌ． Ｃｈｅｍ．， ２７４： ６７１８−６７２５，１９９９）。キメラレセプターは、酵母Ｇａｌ−４または哺乳動物グルココルチコイドレセプター（ＧＲ）転写因子のＤＮＡ結合部位（ＤＢＤ）、および哺乳動物または他のＰＰＡＲδ（β）のＬＢＤから構築されている。レセプター遺伝子ベクター中に、低発現プロモーター（例えば、チミジンキナーゼまたはＳＶ−４０最小初期プロモーター）をＧａｌ−４またはＧＲ ＤＮＡ応答エレメントまたはその複数のコピーに連結させ、分泌型アルカリホスファターゼ（ＳＥＡＰ）、β−ラクタマーゼまたはルシフェラーゼおよび／または別の適切なレポーター遺伝子の発現を指令する。この細胞ベースのアッセイに従って、キメラレセプターは、Ｇａｌ−４またはＧＲ ＤＢＤを介してプロモーター中のＤＮＡ応答エレメントに結合し、リガンドのＰＰＡＲδ（β）ＬＢＤへの結合の関数としてレポーター遺伝子の発現を調節する。レポーター遺伝子発現を不活性化する化合物（アンタゴニスト）または活性化する化合物（アゴニスト）は、さらなる生物学的試験に関するこのアッセイに基いて選択する。
【００１９】
別のアプローチでは、外来性ＰＰＡＲδ（β）の発現を維持する、任意の樹立細胞系（株化細胞）をＰＰＡＲδ（β）選択的ＤＮＡ応答エレメント（ＰＰＲＥ）、指向性レポーター遺伝子であるＳＥＡＰ（例であって、限定ではない）、β−ラクタマーゼまたはルシフェラーゼ、 （Ｈｅら、Ｃｅｌｌ， ９９： ３３５−３４５，１９９９； Ｍａｎｏら、Ｊ． Ｂｉｏｌ． Ｃｈｅｍ．， ２７５： ８１２６−８１３２，２０００を参照）でトランスフェクトする。この細胞ベースのアッセイでは、外来性ＰＰＡＲδ（β）は、プロモーター上のＰＰＡＲδ（β）ＰＰＲＥに結合し、ＰＰＡＲδ（β）ＬＢＤへのリガンド結合の関数としてレポーター遺伝子の発現を調節する。不活性化する化合物（アンタゴニスト）または活性化する化合物（アゴニスト）は、さらなる生物学的試験のためのこのアッセイに基いて選択する。
ほとんどの前含脂肪細胞（培養細胞）およびヒト、霊長類およびげっ歯類の原始含脂肪細胞は、ホルモンおよび製薬薬剤による誘導の後に成熟含脂肪細胞へと分化し得る。これらのホルモンおよび薬剤としては、インスリン、デキサメタゾン、３−イソブチル−１−メチル−キサンチン（ＩＢＭＸ）、長鎖脂肪酸、チアゾリジンジオン、プロスタグランジン、ロイコトリエン、エイコサノイド、レチノイド、ＲＸＲαアゴニストおよび上記のものの任意の適切な組合せを挙げることができる（しかし、これらに限定されない）（Ｋｏｈａｎｓｋｉら、Ｊ． Ｂｉｏｌ． Ｃｈｅｍ．， ２６１： １２２７２−１２２８１，１９８６； Ｂｒｕｎら、Ｇｅｎｅｓ． Ｄｅｖ．， １０： ９７４−９８４，１９９６）。選択したＰＰＡＲδ（β）レギュレーター（アンタゴニスト）を、（１）トリグリセリド蓄積、および／または（２）種々のマーカー遺伝子（例えば、ａＰ２、アジプシン、リポプロテインリパーゼまたは脂肪酸シンターゼ）の発現により測定される含脂肪細胞への前含脂肪細胞分化の媒介能力についてさらに調査した。
【００２０】
次いで、上記のインビトロスクリーニングアッセイ１つ以上を介して同定したＰＰＡＲδ（β）アンタゴニスト候補化合物を周知の動物モデル［例えば、遺伝的または食餌誘発性肥満マウス（ｏｂ／ｏｂ、ｄｂ／ｄｂ、ＫｋＡｙ、アグーチ、高脂肪食餌誘発性肥満Ｃ５７ＢＬ／６もしくは他のもの）、ラット（ｆａ／ｆａ、ＺＤＦもしくは他のもの）、ハムスター（高脂肪食餌誘発性肥満ゴールデンハムスターもしくは他の適切な種）またはサル（高脂肪食餌誘発性肥満カニクイザル（ｃｙｎａｍｏｌｏｇｏｕｓ）またはアフリカミドリザル（Ａｆｒｉｃａｎ Ｇｒｅｅｎ ｍｏｎｋｅｙ））］に投与する（Ｙｏｒｋ（肥満の遺伝的モデル）およびＳｃｌａｆａｎｉ（肥満の食餌モデル）を参照。両者とも、Ｏｂｅｓｉｔｙ， ＢｊｏｒｎｔｏｒｐおよびＢｒｏｄｏｆｆ編、ＪＢ Ｌｉｐｐｉｎｃｏｔｔ Ｃｏｍｐａｎｙ， １９９２； ＭｃＩｎｔｏｓｈおよびＰｅｄｅｒｓｏｎ， ＭｃＮｅｉｌｌ． 編、ＣＲＣ ｐｒｅｓｓ ＬＬＣ， ３３７−３９８，１９９９）。あるいは、これらの動物はまた、主なスクリーニング道具として使用され得る。化合物は、静脈内、皮下または門脈内の注射、経口または食物もしくは水と混合して、急速にまたは長期間にわたって、薬理学的に許容可能なビヒクル中で動物に投与する。研究の過程の間、水および食物消費、体重増加および体温のような種々のパラメーターを測定する。尾の静脈から出血させて血液を回収し、血漿をグルコース、インスリン、遊離脂肪酸、トリグリセリド、およびコレステロールについて分析した。また、動物をグルコース寛容性およびインスリン感受性について試験する。また、処置した動物を、関節の骨関節症の改善について未処置の肥満動物と比較してスキャンすることができる。次いで、体重を減少させる、または血漿グルコースおよび脂質レベルを低下させるように機能する、あるいはグルコース寛容性およびインスリン感受性の増加および／または関節の骨関節症の改善を示す化合物を、さらなる研究のために選択する。
【００２１】
また、本明細書中に記載の本発明は、合成、保存および肥満およびインスリン抵抗性の治療のための哺乳動物（ヒトを含む）への送達用の、ＰＰＡＲδ（β）アンタゴニストの製薬上許容される組成物を含む。
【００２２】
分子生物学、生化学、遺伝学、薬理学およびインビボ生理学の分野の当業者に公知の多数のアッセイを用いて、ＰＰＡＲδ（β）活性を調節し、前含脂肪細胞分化を調節し、そして肥満、インスリン抵抗性および代謝機能不全症候群を予防または改善する化合物をスクリーニングおよび発見することができる。以下にいくつかの例示的なアッセイを開示する。
【００２３】
実施例１：インビトロ結合アッセイ
ＨｉｓタグＰＰＡＲδ（β）ＬＢＤ（アミノ酸１３９−４４１、Ｓｃｈｍｉｄｔら、Ｍｏｌ． Ｅｎｄｏｃｒｉｎｏｌｏｇｙ， ６： １６３４−１６４１，１９９２）発現プラスミドＤＮＡを含む、単一の大腸菌コロニーを、１００μｇ／ｍｌ抗生物質アンピシリンを補充したＬｕｒｉａ培地（ＬＢ）と混合し、３７℃で増殖させる。ＰＰＡＲδ（β）ＬＢＤタンパク質の発現はＩＰＴＧで誘導する（最終濃度０．４ ｍＭまで加える）。培養物１Ｌからの細菌ペレットを緩衝液５０ｍｌ（２０ ｍＭ Ｈｅｐｅｓ（ｐＨ ７．８）、１００ ｍＭ ＮａＣｌ、１ ｍＭ ＤＴＴおよびＣｏｍｐｌｅｔｅＴＭ プロテアーゼインヒビターカクテルタブレット（Ｂｏｅｈｒｉｎｇｅｒ Ｍａｎｎｈｅｉｍ）含有）に再懸濁し、ソニケーションにより可溶化させる。可溶化物を１０，０００ ｒｐｍで３０分間遠心分離し、上清をリガンド結合アッセイに使用する。各結合アッセイ点で、９６ウェルプレート中で、細菌溶解物３７μｇを３Ｈ−標識ＰＰＡＲδ（β）選択的リガンド（化合物Ｆ、ＬｅｉｂｏｗｉｔｚおよびＢｅｒｇｅｒ， ＷＯ ９７／２８１４９、１９９７； Ｌ−１６５０４１、Ｂｅｒｇｅｒら、Ｊ． Ｂｉｏｌ． Ｃｈｅｍ． ２７４： ６７１８−６７２５，１９９９）５０ｎＭと、緩衝液（２０ ｍＭ Ｔｒｉｓ−ＨＣ１ （ｐＨ ８．０）、１５０ ｍＭ ＮａＣｌ、０．５％ ＢＳＡおよび０．５％ Ｃｈａｐｓ、および ３３３μｇ ケイ酸イットリウム銅ＨｉｓタグＳＰＡビーズ（Ａｍｅｒｓｈａｍ）を含む）中で混合し、Ｐａｃｋａｒｄ ９６ウェルＯｐｔｉｐｌａｔｅ中でインキュベートする。ＤＭＳＯ溶液中の非放射標識Ｌ−１６５０４１を反応緩衝液に所望の最終濃度で添加し、室温で１時間、さらにインキュベートする。次いで、プレートをＰａｃｋａｒｄトップ−カウントβシンチレーションカウンター（１分／ウェル）で読み取る。Ｌ−１６５０４１のＰＰＡＲδ（β）ＬＢＤに対する結合親和性を、最大阻害の半分に必要な化合物の量（ＩＣ５０＝０．０５２μＭ）／ＰＰＡＲδ（β）タンパク質に結合する３Ｈ標識型ＰＰＡＲδ（β）リガンド（化合物Ｆ、ＬｅｉｂｏｗｉｔｚおよびＢｅｒｇｅｒ、ＷＯ９７／２８１４９，１９９７）の置換を計算することにより決定する（図３）。この結合アッセイでは、任意の試験化合物でＬ−１６５０４１を置換えることができ、ＰＰＡＲδ（β）に対する結合親和性が簡単に決定される。
【００２４】
実施例２：細胞ベースの転写促進アッセイ
ヒトＰＰＡＲδ（β）ＬＥＤ［アミノ酸１３９−４４１［Ｓｃｈｍｉｄｔら、Ｍｏｌ． Ｅｎｄｏｃｒｉｎｏｌｏｇｙ， ６： １６３４−１６４１，１９９２］）に融合した酵母Ｇａｌ４ ＤＢＤ［アミノ酸１−１４４（ＳａｄｏｗｓｋｉおよびＰｔａｓｈｎｅ、Ｎｕｃ． Ａｃｉｄ． Ｒｅｓ． １７： ７５３９，１９８９）］およびＧａｌ４ ＤＮＡ応答エレメント（ＲＥ）制御型分泌型アルカリホスファターゼ（ＳＥＡＰ）レセプター遺伝子からなるキメラレセプター構築物で安定にトランスフェクトしたＣＨＯ細胞を、９６ウェルプレート中１０％ウシ胎仔血清および抗生物質ジェネテシンおよびゼオシン（各４００μｇ）を補充したＤＭＥＭ培地中で増殖させる。ＰＰＡＲδ（β）選択的アゴニストＬ−１６５０４１（０．５％ＤＭＳＯ含有培地中３１６００、１００００、１０００、３１．６、１０、３．１６ ｎＭまたは他の適切な濃度）を加えてこの細胞株における用量依存的なレポーター遺伝子活性の誘導を決定し、ＰＰＡＲγ選択的リガンドＢＲＬ−４９６５３（Ｌｅｈｍａｎｎら、Ｊ． Ｂｉｏｌ． Ｃｈｅｍ． ２７０： １２９５３−１２９５６、１９９５）をネガティブコントロールとして使用する。図４に示すように、Ｌ−１６５０４１は用量依存的にレポーター遺伝子活性を誘導し、他方、ＰＰＡＲγ選択的リガンドＢＲＬ−４９６５３は誘導を示さなかった。この細胞ベースのアッセイには、Ｌ−１６５０４１の存在下、試験化合物を種々の濃度で加えることができる。試験化合物が、Ｌ−１６５０４１によるレポーター遺伝子の活性化を競合的に阻害する能力（アンタゴニスト）を計算する（活性化の最大阻害の半分、ＥＣ５０（μＭ））。
【００２５】
表２
化合物Ａ（α，βチアゾリジンジオン置換型カルボン酸）および化合物Ｂ（２−アゾベンゾイミダゾール誘導体）
【表２】
2004531454.tif 000003
【００２６】
実施例３：含脂肪細胞分化アッセイに対するアッセイ試験データ
さらに、別の実施態様において、ＰＰＡＲδ（β）アンタゴニストがマウス前含脂肪細胞株（例えば、ＮＩＨ ３Ｔ３−Ｌ１）の成熟含脂肪細胞への分化を調節する能力、およびホルモンシグナルの存在下で、トリグリセリドの形態での脂質を蓄積する能力を測定することができる。例として、１ウェルあたり１．０×１０４ ３Ｔ３ Ｌ１細胞をプレーティングし、２４ウェルプレート中、ＤＭＥＭ−高培地および１０％ウシ胎仔血清中でコンフルエントになるまで増殖させる。ホルモンカクテル［１μＭデキサメタゾン、５μｇ／ｍｌインスリンおよび０．６μＭ ＩＢＭＸ（Ｋｏｈａｎｓｋｉら、 Ｊ． Ｂｉｏｌ． Ｃｈｅｍ． ２６１： １２２７２−１２２８１，１９８６； Ｂｒｕｎら、Ｇｅｎｅｓ． Ｄｅｖ． １０： ９７４−９８４，１９９６）］を培地に添加した後４８時間、細胞を誘導して分化させる。この時点で、さらに分化を誘導する薬剤（例えば、確認されているＰＰＡＲγアゴニストであるＢＲＬ−４９６５３（Ｌｅｈｍａｎｎら、Ｊ． Ｂｉｏｌ． Ｃｈｅｍ． ２７０： １２９５３−１２９５６，１９９５）を各ウェルに加える（０．５％ＤＭＳＯ含有培地中０．０１〜１０μＭまたは他の適切な濃度）。２４〜７２時間後、細胞をＰＢＳで洗浄し、１％トリトンを含有するＰＢＳ（１ウェル毎１００μｌ）中で、室温で２０分間可溶化する。ＣＯＢＡＳ−ＭＩＲＡ装置中トリグリセリド試薬試験キットを用いて細胞可溶化物中のトリグリセリド含量を測定する。図５に示すように、ＢＲＬ−４９６５３は細胞中への顕著なトリグリセリド蓄積を誘発し、これは分化の誘導を示した。この前含脂肪細胞分化アッセイは、ＰＰＡＲδ（β）アンタゴニストの、ホルモンカクテルおよび／またはＢＲＬ−４９６５３により誘発される分化およびトリグリセリド蓄積を調節する能力について試験するように、簡単に適合させることができる。
【００２７】
実施例４：インビボ肥満動物モデル
本発明の別の好ましい実施態様では、Ｃ５７ＢＬ／６マウスに脂肪（４０％）およびスクロース（４０％）が豊富な食餌を与える［Ｙｏｒｋ（肥満の遺伝的モデル）およびＳｃｌａｆａｎｉ（肥満の食餌モデル）を参照。両者共に、Ｏｂｅｓｉｔｙ， ＢｊｏｒｎｔｏｒｐおよびＢｒｏｄｏｆｆ編、ＪＢ Ｌｉｐｐｉｎｃｏｔｔ Ｃｏｍｐａｎｙ， １９９２； ＭｃＩｎｔｏｓｈおよびＰｅｄｅｒｓｏｎ， ＭｃＮｅｉｌｌ． 編、ＣＲＣ ｐｒｅｓｓ ＬＬＣ， ３３７−３９８，１９９９；Ｆａｒｒｅｌｌｙら、Ｐｒｏｃ． Ｎａｔｌ． Ａｃａｄ． Ｓｃｉ． ９６： １４５１１−１４５１６， １９９９］。これらの食餌条件のもと、Ｃ５７ＢＬ／６マウスはかなり体重を増やし（図６）、肥満する。これらのマウスを、静脈内、皮下または門脈内の注射により、または経口的、または食餌もしくは水と混合して、急速にまたは長期間にわたって、薬理学的に受容可能なビヒクル（例えば、５％ＣＭ−セルロース、しかしこれに限定されるわけではない）中のＰＰＡＲδ（β）アンタゴニスト（用量１〜１００ｍｇ／ｋｇ／日）を投与して処置することができる。研究の過程の間、水および食物消費、体重増加および体温のような種々のパラメーターを標準的な方法により測定する。尾の静脈を介して出血させて、凝血を阻害するためにヘパリン−ＥＤＴＡコーティングしたチューブに血液を回収し、血漿を分離してグルコース、遊離脂肪酸、トリグリセリド、およびコレステロールについて、ＣＯＢＡＳ−ＭＩＲＡ機器中でＲｏｃｈｅ Ｄｉａｇｎｏｓｔｉｃｓから入手した試薬キットを用いて分析した。市販のＥＬＩＳＡキットによりインスリンおよびレプチンを測定する。また、動物をグルコース寛容性およびインスリン感受性について試験する。これは、予め決定した用量のインスリン（生理食塩水中０．５ユニット／ｋｇ）またはグルコース（生理食塩水中１ｇ／ｋｇ）を注射することにより行い、３０分ごとに尾部の静脈出血によりグルコースレベルの変化をモニターする。インスリン注射後、およびグルコース負荷後のグルコースレベルの減少を導く化合物は、インスリン感受性グルコース低下剤とみなす。体重を減少させる、および／またはグルコース、脂質を低下させるように働く、または増加したグルコース寛容性およびインスリン感受性を示す化合物を選択する。また、適切な機器を用いて関節の骨関節症の改善について、処置した動物をスキャンすることができる。
【００２８】
また、肥満、インスリン抵抗性を予防または改善する化合物を、抗糖尿病薬剤（例えば、メトホルミンおよびスルホニルウレア。しかし、これらに限定されない）および／またはＰＰＡＲαアゴニストのような脂質低下剤（例えば、フェノフィブラートおよびゲムフィブロジル）および／またはＨＭＧ ＣｏＡレダクターゼインヒビター（例えば、プラバスタチン、ロバスタチン、シンバスタチンおよびアトルバスタチン。しかしこれらに限定されない）と組合せて、上記の疾患モデルで試験する。研究の過程の間、水および食物消費、体重増加、体温および血漿グルコース、インスリン、遊離脂肪酸、トリグリセリドおよびコレステロールレベルのような種々のパラメーターを標準的な方法により測定する。また、動物をグルコース寛容性およびインスリン感受性について試験する。体重を減少させる、および／またはグルコース、脂質を低下させるように働く、または増加したグルコース寛容性およびインスリン感受性を示す化合物を、さらなる特徴付けのために選択する。
【００２９】
定義
特に記載しない限り、本明細書中で使用する全ての技術用語および科学用語は、本発明が属する技術分野の当業者により一般的に理解されている意味と同一の意味を有する。本明細書中に記載の方法および材料に類似する、または等価な方法、材料を本発明の実施または試験に使用することができるが、好ましい方法および材料を本明細書中に記載する。本明細書中に記載の全ての刊行物、特許出願、特許、および他の参考文献は、その全てを本明細書中に参照して組込む。さらに、材料、方法および実施例は単なる例示であり、限定を意味するものではない。
【００３０】
本明細書中で使用する語句「治療上有効な」は、ＰＰＡＲδ（β）活性を阻害するため、および／または肥満、インスリン抵抗性および／または高脂血症を治療するために有効な、本願特許請求の範囲に記載の化合物の量、または化合物の組合せの量を含むことを意図する。
【００３１】
本明細書中で使用する用語「プロドラッグ」とは、プロドラッグが哺乳動物対象に投与された場合に、インビボで本発明の活性な親薬物を遊離する任意の共有結合型キャリアを含むことを意図する。本発明のプロドラッグは、化合物中に存在する官能基を、慣用的な操作またはインビボでのいずれかで修飾物が開裂されて親化合物を生じる様式で修飾することにより製造する。プロドラッグとしては、本発明のプロドラッグが哺乳動物対象へと投与された場合に、それぞれ、遊離のヒドロキシ、遊離のアミノ、または遊離のスルフヒドロリル基を形成するように開裂するように、ヒドロキシ、アミノまたはスルフヒドリル基が任意の基に結合している本発明の化合物が挙げられる。プロドラッグの例としては、本発明の化合物におけるアルコールおよびアミン官能基のアセテート、ホルメートおよびベンゾエート誘導体が挙げられるが、これらに限定されない。
【００３２】
本明細書中で使用する語句「製薬上許容される」とは、信頼できる医学的判断の範囲内で、過度の毒性、刺激、アレルギー反応または他の問題もしくは厄介な問題を伴わずに、妥当な利益／リスク比と釣り合って、哺乳動物（ヒトを含む）の組織と接触する使用に適切である化合物、物質、組成物および／または投薬形態を意味するために使用される。
【００３３】
本明細書中で使用する語句「抗糖尿病薬」は、糖尿病を有する患者のインスリン抵抗性を改善し、そして血漿中グルコースレベルを減少させる化合物を意味する。本発明の範囲内の代表的な化合物としては、メトホルミン、ロシリタゾン（ｒｏｓｉｇｌｉｔａｚｏｎｅ）およびピオグリタゾンが挙げられるが、これらに限定されるわけではない。
【００３４】
本明細書中で使用される語句「脂質低下剤」は、高脂血症および／または心血管疾患に罹患した患者の血漿脂質レベル（コレステロールおよびトリグリセリド）を低下させる化合物を意味する。本発明の範囲内の代用的な化合物としては、プラバスタチン、シンバスタチン、アトロバスタチンおよびゲムフィブロジルが挙げられるが、これらに限定されない。
【００３５】
本明細書中で使用する語句「併用投与」、および語句「組合せ」または「組合せた」は、本明細書中に記載の化合物、成分または組成物を意味する場合には、化合物、成分または組成物が、処置される哺乳動物に同時に投与されることを意味する。組合せて投与される場合、各化合物、成分または組成物は所望の治療効果を提供するように同時または連続的に任意の順番で、または異なる時点で投与することができる。
【００３６】
本明細書中で使用する用語「調節する（ｍｏｄｕｌａｔｅ）」は、特定の活性またはタンパク質の量、質または効果の増加または減少を意味する。
【００３７】
投薬量および製剤化
適切なＰＰＡＲδ（β）アンタゴニスト化合物を、化合物単独で、および／または医薬製剤の形態で許容可能なキャリアと混合した化合物として患者に投与して肥満および他の代謝性障害を治療することができる。肥満、インスリン抵抗性および高脂血症の分野の当業者であれば、そのような処置を必要とする哺乳動物（ヒトを含む）への化合物の投薬量および投与経路を簡単に決定することができる。投与経路には、経口、経直腸、経皮、経口内粘膜、皮下、筋肉内、皮内、静脈内または腸内投与が挙げることができるが、これらに限定されない。化合物は、投与経路に応じて許容可能な薬学実務に基いて製剤化される（Ｆｉｎｇｌら、Ｔｈｅ Ｐｈａｒｍａｃｏｌｏｇｉｃａｌ Ｂａｓｉｓ ｏｆ Ｔｈｅｒａｐｅｕｔｉｃｓ， Ｃｈ． １， １頁， １９７５ ； Ｒｅｍｉｎｇｔｏｎ’ｓ Ｐｈａｒｍａｃｅｕｔｉｃａｌ Ｓｃｉｅｎｃｅｓ、第１８版、Ｍａｃｋ Ｐｕｂｌｉｓｈｉｎｇ Ｃｏ， Ｅａｓｔｏｎ， ＰＡ， １９９０）。
【００３８】
併用治療では、第２薬剤または第３薬剤（抗糖尿病または脂質低下剤）の投与の投薬量および経路は、選択した薬物、およびインスリン抵抗性、２型糖尿病および／または高脂血症の重篤度に基く。
【００３９】
製薬上許容される、本発明のＰＰＡＲδ（β）アンタゴニスト組成物は、錠剤、カプセル剤（それぞれ、遅延放出または徐放性製剤を含む）、丸剤、散剤、顆粒剤、エリキシル剤、チンキ剤、懸濁剤、シロップ剤および乳剤のような経口投与形態で投与することができる。また、本発明の組成物は、静脈内（ボーラスまたは点滴）、腹膜内、皮下または筋肉内の形態、製薬分野の当業者に周知の投薬形態を使用する全ての形態で投与することができる。組成物は単独で投与することができるが、一般的には、選択された投与経路および標準的な製薬実務に基いて選択された製薬キャリアと共に投与される。
【００４０】
当然のことながら、本発明の組成物に関する投薬レジメは、特定の薬剤の薬力学特性、および投与の様態および経路、レシピエントの種、年齢、性別、健康状態、医学的状態および体重、症状の性質および程度、同時治療の種類、処置の頻度、投与経路、対象の腎機能および肝機能、および所望の効果のような公知の因子に依存して変化する。医師または獣医師は、疾患状態の進行を阻害、抑制または停止するために必要とされる薬物の有効量を決定し、指示することができる。
【００４１】
一般的な指針として、所望の効果のために使用する場合、活性成分の経口日投薬量は、１日あたり約０． ００１〜１０００ ｍｇ／体重１ｋｇの範囲であり、好ましくは１日あたり約０．０１〜１００ ｍｇ／体重１ｋｇであり、最も好ましくは、約１．０〜２０ ｍｇ／体重１ｋｇ／１日の範囲である。静脈内投与では、最も好ましい投薬量は、一定速度の点滴では約１〜約１０ ｍｇ／ｋｇ／分の範囲である。本発明の組成物は、１日１回投与されるか、または１日全投薬量が、１日あたり２回、３回または４回に分割された投薬量で投与される。
【００４２】
本発明の組成物は、適切な鼻腔内ビヒクルの局所使用を介して鼻腔内形態で、または経皮皮膚パッチを用いる経皮経路を介して、投与することができる。経皮送達システムの形態で投与する場合、当然のことながら、投薬量の投与は投薬レジメを通じて断続的ではなく、連続的なものである。
【００４３】
通常、組成物は、意図される投与形態（すなわち、経口錠剤、カプセル剤、エリキシル剤およびシロップ剤）に関して適切に選択された適切な製薬希釈剤、賦形剤またはキャリア（本明細書中では、まとめて製薬キャリアと呼ぶ）と共に混合して、常法的な製薬実務と矛盾がないように投与される。
【００４４】
例えば、錠剤またはカプセル剤の形態での経口投与に関して、活性薬物成分は、経口用非毒性の製薬上許容される不活性キャリア（例えば、ラクトース、デンプン、スクロース、グルコース、メチルセルロース、ステアリン酸マグネシウム、リン酸二カルシウム、硫酸カルシウム、マンニトールおよびソルビトール）と組合せることができる。液体形態での経口投与に関しては、経口薬物成分は、任意の経口用の非毒性である製薬上許容される不活性キャリア（例えば、エタノール、グリセロールおよび水）と組合せることができる。さらに、所望される場合または必須である場合、適切な結合剤、滑沢剤、崩壊剤および着色剤もまた、混合物中にくみこむことができる。適切な結合剤としては、デンプン、ゼラチン、天然の糖（例えば、グルコースまたはβ−ラクトース）、トウモロコシ甘味料、天然および合成性のガム（例えば、アカシア、トラガカントまたはアルギン酸ナトリウム）、カルボキシメチルセルロース、ポリエチレングリコールおよび蜜蝋（ｗａｘ）が挙げられる。これらの投薬形態で使用される滑沢剤としては、オレイン酸ナトリウム、ステアリン酸ナトリウム、ステアリン酸マグネシウム、安息香酸ナトリウム、酢酸ナトリウムおよび塩化ナトリウムが挙げられる。崩壊剤としては、デンプン、メチルセルロース、アガー、ベントナイトおよびキサンタンガムが挙げられるが、これらに限定されるわけではない。
【００４５】
本発明の組成物はまた、小単層リポソーム（ｓｍａｌｌ ｕｎｉｌａｍｅｌｌａｒ ｖｅｓｉｃｌｅ）、大単層リポソーム（ｌａｒｇｅ ｕｎｉｌａｍｅｌｌａｒ ｖｅｓｉｃｌｅ）および多重層リポソーム（ｍｕｌｔｉｌａｍｅｌｌａｒ ｖｅｓｉｃｌｅｓ）のようなリポソーム送達システムの形態で投与することができる。リポソームは、種々のリン脂質（例えば、コレステロール、ステアリルアミンまたはフォスファチジルコリン）から形成することができる。
【００４６】
プロドラッグは医薬品の多くの望ましい性質（すなわち、溶解性、バイオアベイラビリティ、製造性など）を向上させることが知られているので、本発明の化合物をプロドラッグの形態で送達することができる。従って、本発明は現在特許請求している化合物のプロドラッグ、その送達方法およびそれを含む組成物をも包含することが意図される。
【００４７】
また、本発明の組成物は、標的化可能な薬物キャリアとして可溶性ポリマーとカップリングすることができる。このようなポリマーとしては、ポリビニルピロリドン、ピランコポリマー、ポリヒドロキシプロピル−メタクリルアミド−フェノール、ポリヒドロキシエチルアスパルトアミドフェノール（ｐｏｌｙｈｙｄｒｏｘｙｅｔｈｙｌａｓｐａｒｔａｍｉｄｅｐｈｅｎｏｌ）またはパルミトイル残基で置換されているポリエチレンオキシドポリリジンが挙げられる。さらに、本発明の組成物は、薬物の制御放出を達成する際に有用である、あるクラスの生分解可能なポリマー（例えば、ポリ乳酸、ポリグリコール酸、ポリ乳酸およびポリグリコール酸のコポリマー、ポリイプシロンカプロラクトン、ポリヒドロキシ酪酸、ポリオルトエステル、ポリアセタール、ポリジヒドロピラン、ポリシアノアクリレート、およびヒドロゲルの架橋型または両親媒性ブロックコポリマー）に結合させることができる。
【００４８】
投与に適した投薬形態（医薬組成物）は、投薬量単位あたり活性成分を約１ｍｇ〜約１００ｍｇ含有し得る。これらの医薬組成物では、活性成分は通常、組成物の総重量に基き、約０．５〜９５重量％で存在する。
【００４９】
ゼラチンカプセル剤は、活性成分および粉末型キャリア（例えば、ラクトース、デンプン、セルロース誘導体、ステアリン酸マグネシウムおよびステアリン酸）を含有し得る。類似の希釈剤を圧縮錠を作製するために使用することができる。錠剤およびカプセル剤は両方とも、一定時間の期間にわたる連続的な医薬の放出を提供する徐放製剤として製造することができる。圧縮錠は、任意の不快な味をマスクするため、および錠剤を外気から保護するために糖衣コーティングまたはフィルムコーティングすることができ、または胃腸管内での選択的な崩壊のために腸溶コーティングすることができる。
【００５０】
経口投与のための液体投薬形態は、患者の受け付けやすさを向上させるために着色剤および矯味矯臭剤を含有し得る。
【００５１】
一般的に、水、適切な油、生理食塩水、水性デキストロース（グルコース）、および関連する糖溶液およびグリコール（例えば、プロピレングリコールまたはポリエチレングリコール）が非経口投与に適切なキャリアである。好ましくは、非経口投与用の溶液は、活性成分の水溶性の塩、適切な安定化剤および必要であれば緩衝剤物質を含有する。重炭酸ナトリウム、硫酸ナトリウムまたはアスコルビン酸のような抗酸化剤は、単独または組合わせで、適切な安定化剤である。また、クエン酸、およびその塩およびＥＤＴＡナトリウムもまた、使用される。さらに、非経口溶液は保存剤（例えば、塩化ベンザルコニウム、メチル−またはプロピルパラベンおよびクロロブタノール）を含有し得る。
【００５２】
適切な製薬キャリアは、Ｒｅｍｉｎｇｔｏｎ ： Ｔｈｅ Ｓｃｉｅｎｃｅ ａｎｄ Ｐｒａｃｔｉｃｅ ｏｆ Ｐｈａｒｍａｃｙ， 第１９版、Ｍａｃｋ Ｐｕｂｌｉｓｈｉｎｇ Ｃｏｍｐａｎｙ， １９９５（これは当該分野において標準的な参考文献である）に記載されている。
本発明の化合物の投与のための代表的な有用な医薬投与形態を以下に示す。
【００５３】
カプセル剤
多数の単位カプセル剤は、散剤化した活性成分（１００ｍｇ）、ラクトース（１５０ｍｇ）、セルロース（５０ｍｇ）およびステアリン酸マグネシウム（６ｍｇ）を標準的なツーピース型ゼラチン硬カプセルに充填することにより製造することができる。
【００５４】
ゼラチン軟カプセル剤
活性成分の消化可能な油（例えば、大豆油、綿実油またはオリーブ油）での混合物を製造し、ポジティブ・ディスプレース・ポンプによりゼラチン中に注入して活性成分１００ｍｇを含有するゼラチン軟カプセルを形成する。カプセル剤は洗浄し、乾燥させる。
【００５５】
錠剤
錠剤は、投薬量単位が、例えば、活性成分１００ｍｇ、コロイド状二酸化ケイ素０．２ｍｇ、ステアリン酸マグネシウム５ｍｇ、微細結晶セルロース２７５ｍｇ、デンプン１１ｍｇおよびラクトース９８．８ｍｇであるように常法により製造することができる。適切なコーティングは、嗜好性を上昇させるため、または吸収を遅延させるために付与することができる。
【００５６】
注射剤
注射による投与に適した非経口組成物は、１０容量％プロピレングリコールおよび水に活性成分１．５重量％で攪拌することにより製造することができる。溶液は、塩化ナトリウムを用いて等張にするべきであり、滅菌するべきである。
【００５７】
懸濁液
水性懸濁液は経口投与のために製造することができる（例えば、各５ｍＬ中には、微細に分割した活性成分１００ｍｇ、カルボキシメチルセルロースナトリウム２０ｍｇ、安息香酸ナトリウム５ｍｇ、ソルビトール溶液（Ｕ．Ｓ．Ｐ．）１．０ｇ、およびバニリンまたは他の香料０．０２５ｍＬを含有する）。
【００５８】
上記の教示を考慮すると、明らかに、本発明の多数の修飾および改変が可能である。従って、本発明の特許請求の範囲において、本発明は、本明細書中に具体的に記載したものとは別の方法で実施され得ることが理解される。
【００５９】
本発明は、本発明の各局面の単なる例示として意図される、記載した特定の実施態様による範囲に限定されるわけではない。本明細書中に示し、記載した方法および構成成分に加えて、このように等価な方法および構成成分が、上記の説明および添付の図面から当業者にとって明白である。そのような修飾も添付の特許請求の範囲の範囲内に含まれることが意図されている。
【図面の簡単な説明】
【図１】図１は、ＰＰＡＲδ（β）ヘテロ接合体ノックアウトマウスの高脂肪／スクロース食餌誘発性肥満に対する抵抗性を示す。この研究では、１６週間、マウスを高脂肪／高スクロース食餌で維持し、体重を２週間ごとにモニターした。ＰＰＡＲδ（β）＋／＋（ＰＰＡＲδ（β）遺伝子の機能的なコピーを２つ有する野生型マウス）およびＰＰＡＲδ（β）＋／−（ＰＰＡＲδ（β）遺伝子の不活性型コピーを１つ有するヘテロ接合性ノックアウトマウス）をこの研究で用いた。
【図２】図２は、ＰＰＡＲδ（β）野生型マウス（＋／＋）と比較した場合、ＰＰＡＲδ（β）ヘテロ接合体ノックアウトマウス（＋／−）では、一般式（体重（ｇ）／体長２（ｃｍ２））を用いて計算した体容量指数（ＢＭＩ）および腹部脂肪蓄積のサイズが減少していることを示している。また、この図は、研究の過程にわたり、ＰＰＡＲδ（β）ヘテロ接合体ノックアウトマウスおよび野生型マウスの両方が、同様の体長を維持することを例示している。この実験では、マウスを高脂肪／高スクロース食餌で１６週間維持し、次いで体長および体重を測定した。動物を屠殺し、腹部の脂肪蓄積を取り出し、秤量した。ＰＰＡＲδ（β）の機能的なコピーを２つ有する＋／＋野生型マウス、およびＰＰＡＲδ（β）遺伝子の１コピーが不活性化されているヘテロ接合体ノックアウトマウスを、この実験に用いた。
【図３】図３は、ＰＰＡＲδ（β）リガンド結合アッセイの結果を示す。このアッセイでは、放射標識されていないＬ−１６５０４１が、ＰＰＡＲδ（β）ＬＢＤに結合する３Ｈ標識ＰＰＡＲδ（β）リガンド（Ｂｅｒｇｅｒら、Ｊ． Ｂｉｏｌ． Ｃｈｅｍ． ２７４： ６７１８−６７２５，１９９９を参照）の結合を、用量依存的な様式で競合的に阻害した。化合物Ｌ−１６５０４１のＰＰＡＲδ（β）ＬＢＤへの結合親和性は、３Ｈ標識Ｌ−１６５０４１（ＬｅｉｂｏｗｉｔｚおよびＢｅｒｇｅｒ、ＷＯ ９７／２８１４９， １９９７）のＰＰＡＲδ（β）への結合を最大値の半分阻害するために必要とされる化合物の量を計算することにより決定される（ＩＣ５０＝０．０５２μＭ）。
【図４】図４は、ＰＰＡＲδ（β）選択的リガンドＬ−１６５０４１によるＣＨＯ細胞でのレポーター遺伝子ＳＥＡＰ機能の用量依存的活性化を示す（ＰＰＡＲγ選択的リガンドＢＲＬ−４９６５３によるものではない）。９６ウェルプレート中で、Ｇａｌ４／ＰＰＡＲδ（β）、およびＧａｌ４ ＤＮＡ応答エレメント（ＲＥ）制御型（ｄｒｉｖｅｎ）ＳＥＡＰレポーター遺伝子を用いて安定にトランスフェクトしたＣＨＯ細胞を、ＰＰＡＲδ（β）選択的リガンドＬ−１６５０４１およびＰＰＡＲγ選択的リガンドＢＲＬ−４９６５３を用いて個別に処理した。
【図５】図５は、ＰＰＡＲγ選択的アゴニストＢＲＬ−４９６５３に反応してのＮＩＨ ３Ｔ３Ｌ−１前含脂肪細胞における用量依存的トリグリセリドの蓄積を示す。細胞は増加した濃度のＢＲＬ−４９６５３で処理した。
【図６】図６は、脂肪（４０％）およびスクロース（４０％）が豊富な食餌を与えた場合にＣ５７ＢＬ／６マウスが定常的に体重が増え、７週間の間に肥満になったことを示す。
【図１】
2004531454.tif 000004
【図２】
2004531454.tif 000005
【図３】
2004531454.tif 000006
【図４】
2004531454.tif 000007
【図５】
2004531454.tif 000008
【図６】
2004531454.tif 000009
【国際公開パンフレット】
2004531454.tif 000010
2004531454.tif 000011
2004531454.tif 000012
2004531454.tif 000013
2004531454.tif 000014
2004531454.tif 000015
2004531454.tif 000016
2004531454.tif 000017
2004531454.tif 000018
2004531454.tif 000019
2004531454.tif 000020
2004531454.tif 000021
2004531454.tif 000022
2004531454.tif 000023
2004531454.tif 000024
2004531454.tif 000025
2004531454.tif 000026
2004531454.tif 000027
2004531454.tif 000028
2004531454.tif 000029
2004531454.tif 000030
2004531454.tif 000031
2004531454.tif 000032
2004531454.tif 000033
2004531454.tif 000034
2004531454.tif 000035
2004531454.tif 000036
2004531454.tif 000037
2004531454.tif 000038
2004531454.tif 000039
2004531454.tif 000040
2004531454.tif 000041
2004531454.tif 000042
【国際公開パンフレット（コレクトバージョン）】
2004531454.tif 000043
【国際調査報告】
2004531454.tif 000044
2004531454.tif 000045
2004531454.tif 000046
2004531454.tif 000047
2004531454.tif 000048